(57)【要約】【課題】ペン型入力装置と該装置の筆記対象となるパッドにおいて、当該パッドの表面に印刷された検出用マーカーをペン型入力装置で正確に検出できるものでありながら、目視上目立たないものとする。【解決手段】パッド１１は、強靭で可撓性に乏しいボード１７を基体とする。ボード１７の表面に、赤外線吸収インクを用いて検出用マーカー１４を形成する。検出用マーカー１４が印刷されたフィルム１８を、ボード１７に貼り合せてもよい。そのうえで、インキによる印刷部分（検出用マーカー１４）と非印刷部分１５との色差（ΔＥ* ab（ｐ−ｐ））を、６０以下に設定する。【選択図】図１
2005070944.tif 000002
【特許請求の範囲】
【請求項１】
ペン型入力装置に筆記内容を入力するためのパッドであって、
このパッドは、強靭な可撓性に乏しいプラスチック製のボードを備えるものであり、該ボードの表面には、ペン型入力装置のカメラ部で筆記内容を検出するための検出用マーカーが形成されており、
前記検出用マーカーが、赤外線吸収染顔料を含むインキで印刷されており、
下記の数式１によって算出される、前記インキによる印刷部分と非印刷部分とのＬ* ａ* ｂ* 表色系に基づく色差ΔＥ* ab（ｐ−ｐ）が、６０以下であることを特徴とするペン型入力装置用のパッド。
［数式１］
2005070944.tif 000006
【請求項２】
筆記部、カメラ部、記憶部および通信部を備えるペン型入力装置と、該ペン型入力装置に筆記内容を入力するためのパッドとを構成要素とし、
前記筆記部により前記パッドの表面に書かれた筆記内容をカメラ部で特定して記憶部に記憶し、該記憶部に記憶されている筆記内容にかかる電子情報を通信部を介して他の電子機器に送り込むことができる情報入力システムであって、
前記パッドは、強靭な可撓性に乏しい樹脂製のボードを備えるものであり、該ボードの表面には、ペン型入力装置のカメラ部で筆記内容を検出するための検出用マーカーが形成されており、
前記ペン型入力装置は、ボードの表面に文字等を書くためのペンインキを備えており、
このペンインキに含まれる染料の最大吸収波長と、前記検出用マーカーを形成するインキに含まれる赤外線吸収染顔料の最大吸収波長との差が、８０ｎｍ以上であることを特徴とする情報入力システム。
【請求項３】
下記の数式１によって算出される、前記パッドの前記インキによる印刷部分と非印刷部分とのＬ* ａ* ｂ* 表色系に基づく色差ΔＥ* ab（ｐ−ｐ）が、６０以下である請求項２記載の情報入力システム。
［数式１］
2005070944.tif 000007
【発明の詳細な説明】
【技術分野】
【０００１】
本発明は、パッドの表面に記載された文字や図形などの手書き情報を、携帯電話やＰＤＡ、あるいはパソコンなどの電子機器に送信することが可能なペン型入力装置用のパッド、および該パッドとペン型入力装置を構成要素とする情報入力システムに関する。
【背景技術】
【０００２】
特許文献１には、専用のアタッチメントをＡ４などの用紙に取り付けたうえで、専用ペンで用紙上に文字等を記入すると、ペンが発信する超音波に基づいてアタッチメントがペン位置を計算して用紙上に書かれた文字等を読み取り、読み取られた文字等に係る筆記情報をデジタルデータとしてパソコン等に随時に送信できる情報入力システムが記載されている。但しこのシステムは、リアルタイムでしか手書きした情報をパソコンに出力できない。すなわち、予め専用ペンでホワイトボードに書いた文字類の筆記情報は、あとからアタッチメントをボードに取り付けてもパソコンへ出力することができない点に不利がある。
【０００３】
特許文献２には、ペン型入力装置を用いた情報入力システムが示されている。かかる情報入力システムは、文字類を書き込むための筆記部、赤外線照射能を有するカメラ部、記憶部からなる記憶部、およびＢｌｕｅｔｏｏｔｈトランシーバーまたはＵＳＢポートなどからなる通信部を備えるペン型入力装置と、該ペン型入力装置に筆記内容を入力するためのボードとを構成要素とする。ここでのボードは、ホワイトボードやボード上に貼り付けられるプラスチックフィルムなどであり、その表面に多数独立の微少なドットからなる検出用パターンが印刷されている。そして、ペン型入力装置の筆記部を使ってボードやフィルム上に文字や図形などを書き込むと、カメラ部が検出用マーカーに基づいて筆記内容を特定し、これを記憶部内に格納する。記憶部内の筆記情報は、通信部を介してパソコンなどの他の電子機器へ適宜に送り込むことができる。
【０００４】
特許文献３ないし５には、筆記した文字などの位置や筆記方向などの筆記内容をペン型入力装置のカメラ部で検出するための検出用マーカーが印刷された用紙が示されている。
【０００５】
【特許文献１】特表２００２−５０８１０１号公報（図１）
【特許文献２】特表２００３−５０８８３１号公報（請求項１、２、段落０００９、段落０００８７、段落００８８、図１の符合６、図６）
【特許文献３】特表２００３−５００７７７号公報（段落番号００８３−００８７、図３）
【特許文献４】特表２００３−５００７７８号公報（段落番号００５７−００５９、図１）
【特許文献５】特表２００３−５０３９０５号公報（段落番号００５０−００５１、図１）
【発明の開示】
【発明が解決しようとする課題】
【０００６】
上記特許文献２に記載の情報入力システムでは、ボード等に筆記された情報の全てをペン型入力装置内に記憶させておいてから、一括してパソコンへ情報を送り込むことができるため、パソコン等への出力がリアルタイムに限られない点、およびパソコン等とペン型入力装置とを常時接続しておく必要がない点で、上述の特許文献１に係る情報入力システムに比べて実用利便性に優れている。また、特許文献３ないし５のごとく、検出用マーカーが印刷された用紙をペン型入力装置の筆記対象とする形態では、これら用紙は使い捨てのために繰り返しの使用ができず、ランニングコストが非常に高く付くのに対し、特許文献２のようにプラスチック製のボードやフィルムを筆記対象とする形態では、ボードやフィルムの繰り返しての使用が可能で、ランニングコストが安価に済む点でも有利である。
【０００７】
但し、前述のように検出用マーカーをボードやフィルムの表面に設ける場合、ペン型入力装置のカメラによる検出感度が良好に担保されることが重要となる。このため上記文献２においては、黒色または濃青色の検出用マーカーをボード等の表面に設けて、該ドットによる赤外線吸収をペン型入力装置のカメラで検知することでペンの位置、さらに筆記内容を特定しているが、黒色等の検出用マーカーが異常に目立って、筆記者に大きな違和感を与えている点に問題がある（特許文献２、段落番号００８８参照）。
【０００８】
加えて、この種のボード等の表面にペンで筆記すると、イレイザーで文字等を消去した際にインキかすが生じることは避けられない。このため、カメラ部がインキかすをドットと誤って判別し、筆記内容を正確に特定できなくなる場合がある。最悪の場合には読み取りエラーを生じるおそれがある。
【０００９】
本発明の目的は、強靭な可撓性に乏しいプラスチック製のボードを主体とするペン型入力装置用のパッド、および該パッドを構成要素とする情報入力システムにおいて、パッドの表面に形成された検出用マーカーを、ペン型入力装置で正確に検出できるものでありながら、目立たないようにすることにある。本発明の目的は、カメラ部がインキかすをドットと誤って判別することがなく、従って筆記内容を正確に特定、読み取ることができる情報入力システムを提供することにある。
【課題を解決するための手段】
【００１０】
本発明は、図１に示すようなペン型入力装置Ｐ（図３参照）に筆記内容を入力するためのパッド１１を対象とする。図２に示すごとく、このパッド１１は、強靭な可撓性に乏しいプラスチック製のボード１７を備えるものであり、該ボード１７の表面には、図３に示すようなペン型入力装置Ｐのカメラ部４で筆記内容を検出するための検出用マーカー１４が形成されている。そして、この検出用マーカー１４が、赤外線吸収染顔料を含むインキで印刷されており、下記の数式１によって算出される、前記インキによる印刷部分（検出用マーカー１４）と非印刷部分１５とのＬ* ａ* ｂ* 表色系に基づく色差ΔＥ* ab（ｐ−ｐ）が、６０以下であることを特徴とする。
［数式１］
2005070944.tif 000003
【００１１】
本発明において、「赤外線吸収染顔料」とは、赤外線吸収能を備える染料又は顔料を意味する。「ボード表面には、ペン型入力装置のカメラ部で筆記内容を検出するための検出用マーカーが形成されている」とは、ボード１７自身の表面に検出用マーカー１４が印刷された形態のみならず、図２に示すごとく、ボード１７の表面に検出用マーカー１４が印刷されたフィルム１８が貼り付けられた形態をも含む概念である。
【００１２】
ペン型入力装置Ｐの具体例としては、スウェーデンのアノト社が開発したデジタルペンを挙げることができる。図１に示すごとく、検出用マーカー１４は、多数個独立のドット１２からなるものであり、ボード上の筆記可能な範囲内に分散して配置される。これらドット１２は、予め定めた規則に従って配置されており、この配置関係からパッド１１上での位置（座標）が特定される。つまり、パッド１１上の位置を示すためのパターンにドット１２は形成される。かかるドットパターンの具体例としては、アノト社の規格による所謂アノト・パターンを挙げることができる。検出用マーカー１４の形成方法としては、例えばオフセット印刷、スクリーン印刷、インクジェット印刷などの各種印刷方法を挙げることができる。なお、図１では、検出用マーカー１４を構成するドット１２はマトリクス状に配置されているが、これはアノト・パターンを模式的に示したものであり、実際のパターン配設はこれとは若干異なる。
【００１３】
赤外線吸収染顔料の具体例としては、シアニン系やフタロシアニン系の染料、顔料などを挙げることができる。この種の染顔料を含むインキは、それを薄めて印刷した場合でも充分な検出Ｓ／Ｎ比が得られるため、パッド１１の製作コストの低減化を図るうえで有利である。これら染顔料は優れた赤外線吸収能を備えるものであるため、パッド１１の表面に多少の汚れが付いた場合でも、ペン型入力装置による検出感度を良好に保つことができ、その点でも有利である。
【００１４】
ボード１７を構成する樹脂やその厚み寸法は、当該ボード１７が強靭で可撓性に乏しいものとなるものであればよく、樹脂種類や寸法等は問わない。ボード１７やフィルム１８の色調は、白色系が好適であるがそれに限られない。フィルム１８は、無色透明や有色透明にすることができる。ボード１７やフィルム１８の長さおよび幅寸法は、例えばＡ５などの規格寸法とすることができる。
【００１５】
また本発明は、図３に示すような筆記部２、カメラ部４、記憶部６および通信部７を備えるペン型入力装置Ｐと、図１および図２に示すようなペン型入力装置Ｐに筆記内容を入力するためのパッド１１とを構成要素とし、前記筆記部２により前記パッド１１の表面に書かれた筆記内容をカメラ部４で特定して記憶部６に記憶し、該記憶部６に記憶されている筆記内容にかかる電子情報を通信部７を介して他の電子機器に送り込むことができる情報入力システムを対象とする。前記パッド１１は、強靭な可撓性に乏しいプラスチック製のボード１７を備えるものであり、該ボード１７の表面には、ペン型入力装置Ｐのカメラ部４で筆記内容を検出するための検出用マーカー１４が形成されている。そして、前記ペン型入力装置Ｐが、ボード１１の表面に文字等を書くためのペンインキを備えており、このペンインキに含まれる染料の最大吸収波長と、前記検出用マーカー１４を形成するインキに含まれる赤外線吸収染顔料の最大吸収波長との差が、８０ｎｍ以上であることを特徴とする。なお、ここで「他の電子機器」とは、パーソナルコンピュータ、携帯電話、ＰＤＡなどを意味する。
【００１６】
また、下記の数式１によって算出される、前記パッド１１の前記インキによる印刷部分（検出用マーカー１４）と非印刷部分１５とのＬ* ａ* ｂ* 表色系に基づく色差ΔＥ* ab（ｐ−ｐ）が、６０以下であることが好ましい。
［数式１］
2005070944.tif 000004
【発明の効果】
【００１７】
本発明においては、パッド１１を構成するボード１７の表面に印刷された検出用マーカー１４を、従前の黒色又は濃青色のインキに代えて、ペン型入力装置Ｐのカメラ部４による良好な感度（Ｓ／Ｎ比）を持つ赤外線吸収染顔料を含むインキを用いて形成している。従って、赤外線吸収染顔料自身の色調や濃度を調整して、検出用マーカー１４を目立たないようにしておけば、ペン型入力装置Ｐによる良好な検出感度を担保しながら、従前の黒色等の検出用マーカーでは不可避であった、該マーカーが異常に目立つことに起因する筆記者が受ける感覚的な違和感を最小限に抑えることができる。
【００１８】
すなわち、従前の黒色又は濃青色のインキからなる検出用マーカーを備える形態では、ボード１７上の非印刷部分１５と検出用マーカー１４との明度差に基づくＳ／Ｎ比から、マーカー１４を検知していたため、該マーカー１４を形成するインキは黒色系でなくてはならず、それが目立つことは避けられなかった。これに対して本発明に係る情報入力システムのパッド１１では、検出用マーカー１４を形成するインキに赤外線吸収染顔料を含ませ、パッド１１の非印刷部分１５とマーカー１４との赤外線吸収量差に基づくＳ／Ｎ比から、カメラ部４による検知が行われるようにしたため、マーカー１４を形成するインキは黒色等でなくてもよい。従って、赤外線吸収染顔料自身の色調や濃度を調整し、インキの色調をボード１７やフィルム１８の色調に合わせて適宜変更して、検出用マーカー１４を目立たないようにすることができる。具体的には、例えばボード１７が白色を呈するものである場合に、検出用マーカー１４を白色系、黄色系、緑色系インキや透明インキで形成しておけば、該マーカー１４が目立たないようにすることができる。また、インキの色調に関係なく、ペン型入力装置のカメラ部４による良好な検出感度を担保できる点でも有利である。尤も、インキの色調はインキ厚みや坪量などにより左右されるものであるため、本発明においてインキ自身の色調は上記のものに限定されない。
【００１９】
Ｌ* ａ* ｂ* 表色系を用いて印刷部分（検出用マーカー１４のドット１２部分）と非印刷部分１５との色差ΔＥ* ab（ｐ−ｐ）を数値化してあると、元来筆記者の趣味感（主感）により左右される、ボード１７上の検出用マーカー１４の存在により筆記者が受ける感覚的な違和感を定量的に規定できる。具体的には色差ΔＥ* ab（ｐ−ｐ）が６０以下であれば、インキにより形成された検出用マーカー１４のドット１２を一様に目立たなくして、筆記者が受ける違和感を小さくできる。つまり、色差ΔＥ* ab（ｐ−ｐ）が６０以下であれば、筆記者は違和感を感じることなく、不都合なく使用できる。色差ΔＥ* ab（ｐ−ｐ）が４０程度となると、検出用マーカー１４のドット１２を視認すること自体が難しくなり、筆記者の受ける違和感は皆無となる。さらに、色差ΔＥ* ab（ｐ−ｐ）が２０程度となると、検出用マーカー１４のドット１２は肉眼では見えなくなり、筆記者は検出用マーカー１４の存在すら認識しない。一方、色差ΔＥ* ab（ｐ−ｐ）が６０を超えると、検出用マーカー１４が異常に目立ち、筆記対象として使用するのに躊躇を覚える。以上より、色差ΔＥ* ab（ｐ−ｐ）は６０以下であることが好ましく、より好ましくは４０以下、さらに２０以下であると最適である。なお、色差ΔＥ* ab（ｐ−ｐ）の下限値は零であり、これはドット１２部分とボード１７の地部分とが完全同色であることを意味する。
【００２０】
なお、検出用マーカー１４を構成する各ドット１２の大きさは数μｍであり、当該ドット１２自体を色差計を用いて測定することは不可能に近い。このため実際には、図１に示すごとく検出用マーカー１４を構成するインキでベタ印刷部１３を形成したうえで、当該ベタ印刷部１３の色差計による測定値を、検出用マーカー１４に係る印刷部の明度および色度としている。尤も、ドット１２のインキ厚みと、ベタ印刷部１３のそれとが、完全に一致するようにしてあることは言うまでもない。また、ベタ印刷部１３は、ドット１２部分の色調を測定するために便宜上設けたものであり、かかるベタ印刷部１３が発明の必須の構成要素でないことは言うまでもない。
【００２１】
ボード１７上にペン型入力装置で筆記してから、イレイザーで筆記した文字等を消去すると、ペンの「インキかす」がパッド１１の表面に残存しやすい。そして、このように「インキかす」が残存する状態で、再度同じ場所に文字等を記入すると、ペン型入力装置のカメラ部４が「インキかす」をドット１２と認識して、筆記内容を誤って特定するおそれがある。最悪の場合には読み取りエラーを生じる。そこで本発明のように、ペン型入力装置の筆記部２に含まれるペンインキの主成分である染料と、検出用マーカー１４を形成するインキに含まれる赤外線吸収染顔料との最大吸収波長の差を８０ｎｍ以上としてあると、「インキかす」をドット１２と誤認することを防ぐことができるため、筆記内容の誤認や読み取りエラーが生じることを確実に防ぐことができる。
【発明を実施するための最良の形態】
【００２２】
図１および図２は本発明に係るペン型入力装置用のパッドを、図３はペン型入力装置を示す。図３に示すようにペン型入力装置Ｐは、一般的なペンと同様の外形を有するケース１と、ケース１の先端部分に設けた筆記用のペンなどを備える筆記部２と、ケース１の先端に設けた開口３を介して筆記部２の先端に臨むカメラ部４と、カメラ部４からの検出データ値などに基づいて筆記部２での筆跡を判断するプロセッサ５と、筆跡データなどを記憶するメモリからなる記憶部６と、外部機器（他の電子機器）と通信する通信部７と、電源としての電池８などを備えている。電池８は、小型のリチウムイオン電池などが該当する。外部機器は、携帯情報端末（ＰＤＡ）やコンピュータや携帯電話などが該当する。
【００２３】
筆記部２は、ペンインキを含むペン先を備えるものであり、これで図１に示すようなパッド１１上に文字や図形等を筆記できる。筆記部２は、ペン圧を検出する加圧センサを備えており、このペン圧データをプロセッサ５に出力する。図１に示すごとく、パッド１１の表面には、カメラ部４で検出される検出用マーカー１４が印刷されている。
【００２４】
カメラ部４は、パッド１１に向けて赤外線光を照射するＬＥＤを備える発光部９と、パッド１１からの反射光を受けるＣＣＤやＣＭＯＳセンサなどの撮像素子１０とを備えており、パッド１１上に筆記している際に、筆記部２のペン先周辺に位置する検出用マーカー１４を検出する。通信部７は、電波や赤外線などで外部機器と通信するものであり、具体的にはＢｌｕｅｔｏｏｔｈトランシーバーである。プロセッサ５は、カメラ部４での撮影画面を赤外線の吸収レベルに基づいて二値化する。
【００２５】
図２に示すごとく、パッド１１は、検出用マーカー１４が印刷された可撓性のある薄手の樹脂製フィルム１８と、このフィルム１８の下面に貼り合わされた、強靭で可撓性に乏しい肉厚のボード１７とからなる。具体的には、ボード１７は、硬質塩化ビニル樹脂、ポリカーボネートなどの各種樹脂を素材とする、１〜２０mm程度の厚み寸法を有する平板状の成形品であり、その材質と厚み寸法とが相俟って、良好な剛性を発揮する。フィルム１８は、軟質塩化ビニル樹脂、ＰＥＴフィルム、シリコンゴムなどの各種樹脂を素材とする、５０〜２００μｍの程度の厚み寸法を有するものであり、ボード１７への貼り付けに先立って、予め検出用マーカー１４が印刷される。以上のような形態としてあると、ボード１７で下支えされた姿勢でフィルム１８上に文字等を書き込むことができるため、パッド１１および情報入力システムは実用利便性に優れたものとなる。
【００２６】
検出用マーカー１４は、独立多数のドット１２からなり、パッド１１の筆記可能な範囲内、本実施形態ではフィルム１８の筆記可能な範囲内に分散して配置される。各ドット１２は、ペン型入力装置の製造メーカであるアノト社により定められたパターン（アノト・パターン）に従って配置されており、これらドット１２の配置関係からパッド１１上での位置（座標）が特定される。つまり、検出用マーカー１４は、パッド１１における位置を特定するためのパターンに形成される。なお、各ドット１２の径寸法は８μｍ程度である。
【００２７】
検出用マーカー１４は、赤外線吸収染顔料を含むインキ、すなわち、赤外線吸収能を有する染料及び／又は顔料を含むインキで印刷される。インキに赤外線吸収染顔料を含めること、およびその配合割合を最適化することで、検出マーカー１４のカメラ部４に対する良好な感度（Ｓ／Ｎ比）を担保できる。また、特に白色系、黄色系、無色系の染顔料を用いることで、パッド１１の地色（非印刷部分１５）と検出用マーカー１４との色差を小さくして、当該マーカー１４を目立たなくできるので、筆記者が感じる違和感を可及的に小さく抑えることができる。
【００２８】
具体的には、上記数式１を用いて得られる、マーカー１４と非印刷部分１５における色差ΔＥ* ab（ｐ−ｐ）が６０以下となるように設定してある。当該値以下であると、検出用マーカー１４を目立たなくして、見た目の違和感を比較的小さくできる。色差ΔＥ* ab（ｐ−ｐ）が４０以下ならば違和感無く使用でき、２０以下ならば略全くその存在を認識しない。一方、色差ΔＥ* ab（ｐ−ｐ）が６０を超えると、筆記対象として使用するのに一定の躊躇を覚える。
【００２９】
ペン型入力装置の筆記部２に含まれるペンインキの染料の最大吸収波長と、検出用マーカー１４を形成するインキに含まれる赤外線吸収染顔料の最大吸収波長とは、少なくとも８０ｎｍ以上の差異があるものとしている。このように両者の赤外線の最大吸収波長が８０ｎｍ以上であると、カメラ部４がインキかすをドット１２と判別して、筆記内容を誤って認識したり、読み取りエラーを起こすことを確実に防ぐことができる。
【００３０】
パッド１１は、図４に示すような所謂タブレット型とすることができる。詳しくは、図４においてボード１７は、フィルム１８が貼り付けられる平板状の底面部と、該底面部の周縁に形成された枠部とからなるものであり、中央部が凹んだ段付きの四角皿型を呈している。この形態のパッド１１は、先の図１に示したような平板状のパッド１１に比べて、意匠性、携帯性などに優れ、その点で有利である。なお、かかる形態においても、フィルム１８を廃して、ボード１７の底面部の表面に露出する部位に、検出用マーカー１４を直接印刷してもよいことは言うまでもない。
【実施例】
【００３１】
次に実施例を挙げて本発明をより詳細に説明する。但し、本発明はこれら実施例に限られるものではない。
【００３２】
〈実施例１〉
（パッドの作製）  山本化成社製の赤外線吸収顔料ＹＫＲ−５０１０（最大吸収波長８５０ｎｍ）と印刷用ワニスとを二本ロールで分散し、この顔料を２５重量％含むオフセット用インキを作った。さらにこのインキにＵＶ硬化型の印刷用樹脂（メジウムＳ、Ｔ＆Ｋ
ＴＯＫＡ社製）を加えて、顔料が1.３重量％になるように調整してＵＶ硬化型のインキを作成した。かかるインキを軟質塩化ビニル製のフィルム１８（Ａ５サイズ）にオフセット印刷して、このフィルム１８上に検出用マーカー１４を形成した。検出用マーカー１４を構成するドット１２の配列パターンは、アノト社指定のものとした。同時に、かかるインキを用いてフィルム上の余白部分に２cm×２cmのベタ印刷部分１３を形成した。ドット１２およびベタ印刷部１３のインキ厚みは約１μｍとした。印刷後、ＵＶランプ（ＵＳＨＩＯ社製、ＵＶＨ−８００Ｈ）でインキを２５５ｎｍの波長の紫外線で硬化させた。ドット１２を印刷したフィルム１８を、厚さ２mmでＡ５サイズの硬質塩化ビニル製のボード１７の表面に貼り合わせて、パッド１１を作製した。
【００３３】
（ペン型入力装置の作成）  大日本インキ化学工業社製のＢＸ１３２顔料（最大吸収波長７００ｎｍ）をイソプロパノールに分散させ、この顔料を５０重量％含むペンインキを作成した。このペンインキを用いて、図３に示すようなペン型入力装置Ｐを作成した。かかるペン型入力装置Ｐのカメラ部４は、アノト社の規格に準じて製造された米国ロジテック社のパーソナル・デジタルペンのカメラ部（パーツＮO.９６５１０２−０１００−２）を備えるものであり、その発光部９の最大波長は８５０ｎｍである。
【００３４】
〈実施例２〉
実施例１で使用した赤外線吸収有機材料ＹＫＲ−５０１０の顔料濃度を５重量％としたこと以外は、全て実施例１と同様にしてパッド１１とペン型入力装置Ｐを作製した。
【００３５】
〈実施例３〉
実施例１で使用した赤外線吸収有機材料ＹＫＲ−５０１０の顔料濃度を１０重量％としたこと以外は、全て実施例１と同様にしてパッド１１とペン型入力装置Ｐを作製した。
【００３６】
〈比較例１〉
一般的に「墨」と呼ばれる黒色のＵＶ硬化型のオフセット用インキ（東洋インキ社製、Ｆ・ＤカルトンＰ墨ロ）を用いて、これを実施例１と同様に軟質塩化ビニル製のフィルムにオフセット印刷して、検出用マーカー１４およびベタ印刷部１３を形成した。それ以外は実施例１と同様にして、比較例１に係るパッド１１とペン型入力装置Ｐを得た。
【００３７】
〈比較例２〉
比較例１で用いた黒色のＵＶ硬化型インキ６０重量部に対し、ＵＶ硬化型の印刷用樹脂（メジウムＳ、Ｔ＆Ｋ  ＴＯＫＡ社製）を４０重量部加えてインキを作製した。以下、実施例１と同様にして、比較例２に係るパッド１１とペン型入力装置Ｐを得た。
【００３８】
〈比較例３〉
比較例１で用いた黒色のＵＶ硬化型インキ８０重量部に対し、ＵＶ硬化型の印刷用樹脂（メジウムＳ、Ｔ＆Ｋ  ＴＯＫＡ社製）を２０重量部加えてインキを作製した。以下、実施例１と同様にして、比較例３に係るパッド１１とペン型入力装置Ｐを得た。
【００３９】
以上の実施例および比較例で作製したパッド１１上のベタ印刷部分１３、および検出用マーカー１４の無い非印刷部分１５の色を独国ＢＹＫ社製色差計Ｇａｒｄｎｅｒ６８０Ｕにより測定して、これら部分をＬ* ａ* ｂ* 表色系に基づいて規定した。また、両部分の色差ΔＥ* ab（ｐ−ｐ）を、上述の数式１を使って算出した。
【００４０】
実施例、比較例ともに、パッド１１に書いた文字は、ティッシュなどで容易に消すことができた。そこで、筆記文字をイレイザーで消してから、パッド１１上の文字を消した部分に再度文字を書き込んで、ペン型入力装置Ｐによる筆記文字の特定・読み取りが可能であるかを調べた。この作業を数回繰り返して、何回目から読み取りエラーが生じるかを調べた。以上の測定結果、色差値および試験結果を表１に示す。
【００４１】
【表１】
2005070944.tif 000005
【００４２】
実施例１ないし３の形態では、パッド１１上において検出用マーカー１４は殆ど視認されず、感覚的な違和感も殆ど感じなかった。これは、上記数式１より得られるインキによる印刷部分（検出用マーカー１４）と非印刷部分１５との色差（ΔＥ* ab（ｐ−ｐ））が６０以下であると好適であるとした、本発明の数値意義（請求項１、３参照）とも完全に一致している。これに対して比較例１ないし３の形態では、パッド１１上における検出用マーカー１４が異常に目立ち、違和感を感じるものであった。これは、インキによる印刷部分（検出用マーカー１４）と非印刷部分１５との色差（ΔＥ* ab（ｐ−ｐ））が６０を超えると、不適であるとした、本発明の数値意義（請求項２、請求項４参照）とも完全に一致している。
【００４３】
表１に示すように、比較例１ないし３の形態では、５回目から読取エラーが生じた。これはパッド１１上に残ったペンインキのかすがドット１２と間違えて認識されたものと考える。
【図面の簡単な説明】
【００４４】
【図１】パッドの平面図
【図２】パッドの縦断側面図
【図３】ペン型入力装置の概略構成図
【図４】別実施形態に係るパッドの斜視図
【符号の説明】
【００４５】
２  筆記部
４  カメラ部
６  記憶部
７  通信部
１１  パッド
１２  ドット
１４  検出用マーカー
１５  非印刷部分
１７  ボード
１８  フィルム
【図１】
2005070944.tif 000008
【図２】
2005070944.tif 000009
【図３】
2005070944.tif 000010
【図４】
2005070944.tif 000011